(57)【要約】【課題】  固定レールの開口部を線ファスナーにて開閉可能に閉塞するカバー部材を備えるスライド装置において、当該カバー部材の耐久性を向上させることが可能なスライド装置の一例を開示する。【解決手段】  カバー部材２０を構成するテープ２１Ａ及びリップ２２は、一体成形品である。具体的には、テープ２１Ａ及びリップ２２は、インサート成形法により、一体化された一体成形品である。これにより、例えば、テープ２１Ａがリップ２２に縫製により一体化された一体品に比べて、カバー部材２０の耐久性を向上させることが可能となり得る。【選択図】  図４
2019202574.tif 000002
【特許請求の範囲】
【請求項１】
シートをスライド可能に支持するためのスライド装置において、
フロアに対して固定される固定レールであって、上方に向けて開いた状態でシートのスライド方向に沿って延びる開口部を有する固定レールと、
シートが固定されるとともに、前記固定レールにスライド可能に装着された可動レールと、
前記固定レール又はフロアに固定され、前記開口部を閉塞するためのカバー部材であって、線ファスナー及びゴム製のリップを有して構成されたカバー部材とを備え、
前記ファスナーのテープと前記リップとは、一体成形品であるスライド装置。
【請求項２】
請求項１に記載のカバー部材の製造方法であって、
前記テープ及び前記リップをインサート成形法により、一体成形するスライド装置用カバー部材の製造方法。
【発明の詳細な説明】
【技術分野】
【０００１】
本開示は、シートをスライド可能に支持するためのスライド装置に関する。
【背景技術】
【０００２】
例えば、特許文献１に記載のスライド装置は、固定レールの開口部を線ファスナーにて開閉可能に閉塞している。
【先行技術文献】
【特許文献】
【０００３】
【特許文献１】特開２０１７−１０９５８０号公報
【発明の概要】
【発明が解決しようとする課題】
【０００４】
本開示は、固定レールの開口部を線ファスナーにて開閉可能に閉塞するカバー部材を備えるスライド装置において、当該カバー部材の耐久性を向上させることが可能なスライド装置の一例を開示する。
【課題を解決するための手段】
【０００５】
シートをスライド可能に支持するためのスライド装置は、例えば、以下の構成要件のうち少なくとも１つを備えることが望ましい。
すなわち、当該構成要件は、フロアに対して固定される固定レール（１１）であって、上方に向けて開いた状態でシートのスライド方向に沿って延びる開口部（１１Ａ）を有する固定レール（１１）と、シートが固定されるとともに、固定レール（１１）にスライド可能に装着された可動レール（１２）と、固定レール（１１）又はフロアに固定され、開口部（１１Ａ）を閉塞するためのカバー部材（２０）であって、線ファスナー（２１）及びゴム製のリップ（２２）を少なくとも有して構成されたカバー部材（２０）とを備え、線ファスナー（２１）のテープ（２１Ａ）とリップ（２２）とは、一体成形品であることである。
【０００６】
これにより、例えば、テープ（２１Ａ）がリップ（２２）に縫製により一体化された一体品に比べて、カバー部材（２０）の耐久性を向上させることが可能となり得る。
すなわち、テープ（２１Ａ）がリップ（２２）に縫製により一体化された構成では、縫製用の糸がゴム製のリップ（２２）に食い込んでしまい、当該食い込んだ箇所を起点として、亀裂が発生又は成長する可能性がある。
【０００７】
これに対して、当該カバー部材（２０）では、テープ（２１Ａ）及びリップ（２２）が、例えばインサート成形法により一体成形された一体成形品であれば、上記内容を原因とする亀裂が発生する可能性は極めて低い。したがって、カバー部材（２０）の耐久性を向上させることが可能となり得る。
【０００８】
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【０００９】
【図１】第１実施形態に係るスライド装置を示す図である。
【図２】第１実施形態に係るスライド装置の分解図である。
【図３】第１実施形態に係るカバー部材を示す図である。
【図４】第１実施形態に係るカバー部材を示す図である。
【発明を実施するための形態】
【００１０】
以下に説明する「発明の実施形態」は、本開示の技術的範囲に属する実施形態の一例を示すものである。つまり、特許請求の範囲に記載された発明特定事項等は、下記の実施形態に示された具体的構成や構造等に限定されるものではない。
【００１１】
以下、本開示の実施形態を図面と共に説明する。少なくとも符号を付して説明した部材又は部位は、「１つの」等の断りをした場合を除き、少なくとも１つ設けられている。つまり、「１つの」等の断りがない場合には、当該部材は２以上設けられていてもよい。
【００１２】
本実施形態は、車両等の乗物に搭載されるシート（以下、乗物用シートという。）に本開示に係るスライド装置が適用された例である。各図に付された方向を示す矢印等は、各図相互の関係を理解し易くするために記載したものである。
【００１３】
したがって、本開示に係る発明は、各図に付された方向に限定されるものではない。各図に示された方向は、本実施形態に係る乗物用シートが車両に組み付けられた状態における方向である。
【００１４】
（第１実施形態）
１．スライド装置の構成
スライド装置１０は、図１に示されるように、固定レール１１、可動レール１２及びカバー部材２０等を少なくとも有する。固定レール１１は、乗物に対して固定される部材である。当該固定レール１１は、乗物のフロアパネル（図示せず。）に直接的又は間接的に固定される。
【００１５】
可動レール１２は、乗物用シートが固定され、かつ、固定レール１１に対してスライド可能な部材である。つまり、乗物用シートは、スライド装置１０を介してスライド可能に乗物に搭載される。
【００１６】
なお、スライド駆動装置１３は、可動レール１２を固定レール１１に対してスライド変位させるための電動機構である。当該スライド駆動機構１３は、電動モータ１３Ａ、ラック及びピニオン等を少なくとも有して構成されている。
【００１７】
カバー部材２０は、固定レール１１の開口部１１Ａを開閉可能に閉塞するための部材である。開口部１１Ａは、図２に示されるように、上方に向けて開いた状態で乗物用シートのスライド方向、つまり固定レール１１の長手方向に沿って延びている。
【００１８】
可動レール１２は、図１に示されるように、当該可動レール１２の一部が固定レール１１内に収納された状態で、開口部１１Ａ内をスライド変位する。このため、開口部１１Ａのうち可動レール１２が存在しない部位（以下、開口部分という。）は、可動レール１２のスライド変位に連動して変動する。
【００１９】
カバー部材２０は、可動レール１２のスライド変位に連動して開口部分を閉塞する機能を発揮可能である。具体的には、カバー部材２０は、開口部１１Ａのうち可動レール１２が存在する部位を開き、可動レール１２が存在しない部位を閉塞する。
【００２０】
２．カバー部材の構成
＜カバー部材の概要＞
カバー部材２０は、図３に示されるように、線ファスナー２１、ゴム製のリップ２２及び樹脂製の板状部材２３を少なくとも有して構成されている。線ファスナー２１は、２つのテープ２１Ａ、各テープ２１Ａに設けられた多数個のエレメント（務歯）２１Ｂ、及びスライダー（図示せず。）により構成されている。
【００２１】
各テープ２１Ａは、ポリエステル又は合成繊維にて構成された帯状の部材である。各エレメント２１Ｂは、各テープ２１Ａのうち互いに対向する端部に設けられている。スライダーは、テープ２１Ａの延び方向に沿って移動することにより、各エレメント２１Ｂを噛み合わせるとともに、当該噛合状態を解除するための部材である。
【００２２】
なお、本実施形態では、２つのスライダーが設けられ、かつ、第１のスライダーは、可動レール１２の長手方向一端側に設けられ、第２のスライダーは、可動レール１２の長手方向他端側に設けられている。
【００２３】
これにより、可動レール１２がスライド変位すると、これに連動して各エレメント２１Ｂの噛合状態が変化する。つまり、カバー部材２０のうち可動レール１２が存在する部位は開いた状態となり、可動レール１２が存在しない部位は閉塞された状態となる。
【００２４】
リップ２２及び板状部材２３それぞれは、２つのテープ２１Ａに対応するように、２つ設けられている。各板状部材２３は、各リップ２２に比べて弾性係数の小さい樹脂にて成形された部材である。
【００２５】
つまり、各リップ２２は、可撓性を有するゴム製である。各板状部材２３は、リップ２２に比べて可撓性が低く、リップ２２との比較において剛体とみなせる程度の剛性を有する樹脂（例えば、ポリプロピレン）製の部材である。
【００２６】
各板状部材２３は、固定レール１１又はフロアパネルに直接的又は間接的に固定される。本実施形態に係る各板状部材２３は、フロアパネルに配置されたカーペットを介して当該フロアパネルに固定される。
【００２７】
＜カバー部材の構造及び製造方法＞
図４に示されるように、各テープ２１Ａ、各リップ２２及び各板状部材２３は、一体成形品である。具体的には、各テープ２１Ａ、各リップ２２及び各板状部材２３は、インサート成形法及び二色成形法により、一体化された一体成形品である。
【００２８】
つまり、カバー部材２０を製造する者は、成形用金型のキャビティ内に、予めテープ２１Ａを配置した状態で、リップ２２を構成するゴム（樹脂）及び板状部材２３を構成する樹脂を射出して二色成形することにより、各テープ２１Ａ、各リップ２２及び各板状部材２３を一体成形する。
【００２９】
３．本実施形態に係るスライド装置の特徴
本実施形態スライド装置１０は、例えば、テープ２１Ａがリップ２２に縫製により一体化された一体品に比べて、カバー部材２０の耐久性を向上させることが可能となり得る。
【００３０】
すなわち、テープ２１Ａがリップ２２に縫製により一体化された構成では、縫製用の糸がゴム製のリップ２２に食い込んでしまい、当該食い込んだ箇所を起点として、亀裂が発生又は成長する可能性がある。
【００３１】
これに対して、本実施形態に係るカバー部材２０では、テープ２１Ａ及びリップ２２が、インサート成形法により一体成形された一体成形品であるので、上記内容を原因とする亀裂が発生する可能性は極めて低い。したがって、カバー部材２０の耐久性を向上させることが可能となり得る。
【００３２】
（その他の実施形態）
上述の実施形態では、各テープ２１Ａ、各リップ２２及び各板状部材２３をインサート成形法及び二色成形法により、一体化された一体成形品であった。しかし、本明細書に開示された発明はこれに限定されるものではない。
【００３３】
すなわち、当該発明は、例えば、テープ２１Ａとリップ２２とがインサート成形法による一体成形品であり、リップ２２と板状部材２３とはネジやリベット等の機械的締結具により一体化された一体品であってもよい。
【００３４】
上述の実施形態に係るカバー部材２０は、線ファスナー２１、リップ２２及び板状部材２３を有して構成されていた。しかし、本明細書に開示された発明はこれに限定されるものではない。
【００３５】
すなわち、当該発明は、例えば、板状部材２３が廃止され、線ファスナー２１及びリップ２２にてカバー部材２０が構成され、かつ、リップ２２がフロア又は固定レール１１に固定される構成であってもよい。
【００３６】
上述の実施形態に係るカバー部材２０は、フロアパネルに対して固定されていた。しかし、本明細書に開示された発明はこれに限定されるものではない。すなわち、当該発明は、例えば、カバー部材２０が固定レール１１に固定された構成であってもよい。
【００３７】
上述の実施形態では、スライド駆動装置１３を備えていた。しかし、本明細書に開示された発明はこれに限定されるものではない。すなわち、当該発明は、スライド駆動装置１３が廃止された構成であってもよい。同様に、テープ２１Ａ、リップ２２及び板状部材２３の材質は、上記された具体例に限定されるものではない。
【００３８】
上述の実施形態では、車両に本開示に係る乗物用シートを適用した。しかし、本明細書に開示された発明の適用はこれに限定されるものではなく、鉄道車両、船舶及び航空機等の乗物に用いられるシート、並びに劇場や家庭用等に用いられる据え置き型シートにも適用できる。
【００３９】
さらに、本開示は、上述の実施形態に記載された発明の趣旨に合致するものであればよく、上述の実施形態に限定されるものではない。したがって、上述した複数の実施形態のうち少なくとも２つの実施形態が組み合わせられた構成、又は上述の実施形態に示された発明の構成要件のうちいずれかが廃止された構成でもよい。
【符号の説明】
【００４０】
１０… スライド装置
１１… 固定レール
１１Ａ… 開口部
１２… 可動レール
２０… カバー部材
２１… 線ファスナー
２１Ａ… テープ
２１Ｂ… エレメント
２２… リップ
２３… 板状部材
【図１】
2019202574.tif 000003
【図２】
2019202574.tif 000004
【図３】
2019202574.tif 000005
【図４】
2019202574.tif 000006